(57)【要約】【課題】液晶装置等の電気光学装置において、高い放熱性を有し、高品質な画像を表示する。【解決手段】電気光学装置は、電気光学物質（５０）を挟持する一対の基板（１０、２０）と、この一対の基板における電気光学物質に対向しない側に夫々設けられた一対の防塵用基板（４１１、４１２）とを有し、一対の防塵用基板のうち少なくとも一方の防塵用基板（４１１）は、その互いに対向する二辺の各々において平面的に見て一対の基板より張り出した張出部（４１１ａ）を有する電気光学装置本体（１）と、該電気光学装置本体を収容するケース（６０１）とを備える。更に、張出部の表面の少なくとも一部及びケースの内面の少なくとも一部を、当該電気光学装置に対して供給される冷却風の通り路（７２０）を構成する面の少なくとも一部として含む冷却風導通部（７００）を備える。【選択図】図７
2009075389.tif 000002
【特許請求の範囲】
【請求項１】
電気光学物質を挟持する一対の基板と、該一対の基板における前記電気光学物質に対向しない側に夫々設けられた一対の防塵用基板とを有し、該一対の防塵用基板のうち少なくとも一方の防塵用基板は、その互いに対向する二辺の各々において平面的に見て前記一対の基板より張り出した張出部を有する電気光学装置本体と、
該電気光学装置本体を収容するケースと、
前記張出部の表面の少なくとも一部及び前記ケースの内面の少なくとも一部を、当該電気光学装置に対して供給される冷却風の通り路を構成する面の少なくとも一部として含む冷却風導通部と
を備えたことを特徴とする電気光学装置。
【請求項２】
前記冷却風導通部は、
前記ケースにおける側面のうち前記張出部が張り出す方向に沿う一の側面に形成された第１開口部を前記冷却風の入口として含み、
前記ケースにおける側面のうち前記一の側面に対向する他の側面に形成された第２開口部を前記冷却風の出口として含む
ことを特徴とする請求項１に記載の電気光学装置。
【請求項３】
前記第１開口部の前記張り出す方向に沿う幅は、前記一対の基板の前記張り出す方向に沿う幅よりも大きいことを特徴とする請求項２に記載の電気光学装置。
【請求項４】
前記冷却風導通部は、
前記ケースの内面側に形成され、前記通り路が前記第１開口部側から前記第２開口部側へ向かって徐々に狭くなるように規定する、前記一対の基板の側面に対して斜めに傾いた面を有する第１傾斜部を含む
ことを特徴とする請求項２又は３に記載の電気光学装置。
【請求項５】
前記冷却風導通部は、
前記ケースの内面側に形成され、前記通り路が前記第１開口部側から前記第２開口部側へ向かって徐々に狭くなるように規定する、前記防塵用基板の基板面に対して斜めに傾いた面を有する第２傾斜部を含む
ことを特徴とする請求項２から４のいずれか一項に記載の電気光学装置。
【請求項６】
前記ケースは、
前記電気光学装置本体の一面に対向するように配置されるプレートと、
該プレート及び前記電気光学装置本体を覆うように配置されるカバーと
を備え、
前記第１及び第２開口部は、前記カバーに形成される
ことを特徴とする請求項２から５のいずれか一項に記載の電気光学装置。
【請求項７】
請求項１から６のいずれか一項に記載の電気光学装置を具備してなることを特徴とする電子機器。
【発明の詳細な説明】
【技術分野】
【０００１】
本発明は、例えば液晶プロジェクタのライトバルブとして用いられる液晶パネル等の電気光学装置、及び該電気光学装置を備えた、例えば液晶プロジェクタ等の電子機器の技術分野に関する。
【背景技術】
【０００２】
この種の電気光学装置の一例である液晶パネルは、液晶プロジェクタにおけるライトバルブとして用いられる際には、機器の筐体等にいわば裸の状態で設置されるのではなく、適当な実装ケースに実装ないし収容された状態で設置される。
【０００３】
このように液晶パネルを液晶プロジェクタにおけるライトバルブとして用いる場合、スクリーン上に拡大投射を行うために、液晶パネルには、光源からの強力な光源光が集光された状態で入射する。このように強力な光源光が入射すると、液晶パネルの温度は上昇し、液晶パネル内において一対の透明基板間に挟持されている液晶の温度も上昇して、該液晶の特性劣化を招く。また特に光源光にむらがあった場合には、部分的に液晶パネルが加熱されて所謂ホットスポットが発生して、液晶の透過率のムラができて投射画像の画質が劣化する。このため、液晶パネルが収容される実装ケースを冷却することで、液晶パネルの放熱が図られることが多い（例えば特許文献１参照）。
【０００４】
また、ライトバルブの表面にごみや埃等（以下、単に「粉塵」という。）が付着すると、スクリーン上にその粉塵の像もまた投影されてしまうことで、画像の品質を低下させる可能性がある。このため、液晶パネルを構成する基板の外側表面に、例えば防塵カバー、防塵ガラス等と呼ばれる防塵用の透明基板が設けられることが多い（例えば特許文献１及び２参照）。
【０００５】
【特許文献１】特開２００４−２７９７００号公報
【特許文献２】特開２０００−２２７７６６号公報
【発明の開示】
【発明が解決しようとする課題】
【０００６】
しかしながら、実装ケースを冷却することによって、液晶パネルの放熱を行う場合には、実装ケースを介して間接的に液晶パネルの放熱が行われることになるので、放熱効率を向上させることが困難であるという技術的問題点がある。
【０００７】
本発明は、例えば上述した問題点に鑑みなされたものであり、高い放熱性を有し、高品質な画像を表示可能な電気光学装置、及び該電気光学装置を備えた電子機器を提供することを課題とする。
【課題を解決するための手段】
【０００８】
本発明の電気光学装置は上記課題を解決するために、電気光学物質を挟持する一対の基板と、該一対の基板における前記電気光学物質に対向しない側に夫々設けられた一対の防塵用基板とを有し、該一対の防塵用基板のうち少なくとも一方の防塵用基板は、その互いに対向する二辺の各々において平面的に見て前記一対の基板より張り出した張出部を有する電気光学装置本体と、該電気光学装置本体を収容するケースと、前記張出部の表面の少なくとも一部及び前記ケースの内面の少なくとも一部を、当該電気光学装置に対して供給される冷却風の通り路を構成する面の少なくとも一部として含む冷却風導通部とを備える。
【０００９】
本発明の電気光学装置では、一対の基板は、例えば液晶等の電気光学物質を挟持しており、相互に貼り合わせられることによって液晶パネル等の電気光学装置本体を構成する。例えば、一対の基板のうち一方の基板上には画素電極が設けられ、一対の基板のうち他方の基板上には対向電極が画素電極に対向して設けられる。電気光学装置の動作時には、画素電極及び対向電極間の液晶等の電気光学物質に電圧が印加され、表示領域において画像表示が行われる。このような電気光学装置本体は、例えば光源から入射する光に応じて表示光を、例えば透過によって出射できる。
【００１０】
本発明の電気光学装置は、このような電気光学装置本体がケース内に収容されてなる。電気光学装置本体は、典型的には、その周縁部側からケースによって包囲された状態となる。このような電気光学装置としては、例えば投射型表示装置におけるライトバルブとして実装される液晶装置が挙げられる。
【００１１】
本発明では、電気光学装置本体は、一対の基板における電気光学物質に対向しない側に夫々設けられた一対の防塵用基板を備える。即ち、防塵用基板は、例えば透明基板等からなり、一対の基板の各々における電気光学物質に対向する面とは反対側の面に、例えば密着して設けられる。一対の防塵用基板は、例えば電気光学装置本体の表示領域に重なるように設けられる。一対の防塵用基板によって、一対の基板に粉塵が付着し、映写幕上にその粉塵の像が投影されてしまうことで発生する、画像品質の低下を防止できる。
【００１２】
本発明では特に、一対の防塵用基板のうち少なくとも一方の防塵用基板は、その互いに対向する二辺の各々において平面的に見て一対の基板よりも張り出した張出部を有する。更に、電気光学装置は、張出部の表面の少なくとも一部及びケースの内面の少なくとも一部を、当該電気光学装置に対して供給される冷却風の通り路を構成する面の少なくとも一部として含む冷却風導通部を備えている。冷却風導通部における冷却風の通り路は、例えば、張出部の表面の一部、ケースの内面の一部、及び一対の基板の側面の一部（即ち、一対の基板における張出部が設けられた側の側面）によって規定されており、防塵用基板における張出部が設けられた辺に沿って延びる形状を有する。尚、本発明における「ケースの内面」とは、電気光学装置本体が配置されている場所を視点とした場合に、ケースにおける視認可能な面、即ち、電気光学装置本体の一部に対向するケースの内側を構成する面を意味する。
【００１３】
よって、冷却風導通部の通り路を冷却風が通り抜ける際、この冷却風によって、張出部の表面から当該防塵用基板の熱を奪うこと、即ち、張出部を介して当該防塵用基板自体を冷却することができる。従って、当該電気光学装置の動作時に発生する熱を、張出部を有する防塵用基板を介して、電気光学装置本体から装置外部に速やかに逃がすことが可能であり、温度上昇に伴って生じる電気光学装置の表示性能の低下を効果的に抑制できる。即ち、電気光学装置本体の一部を構成する防塵用基板の張出部を、例えば装置外部に設けられた冷却手段から供給される冷却風によって直接的に冷却することによって、例えばケースを冷却することにより電気光学装置本体を間接的にのみ冷却する場合と比較して、電気光学装置本体の温度上昇を効果的に抑制できる。つまり、本発明によれば、防塵用基板の張出部の表面の少なくとも一部を、冷却風の通り路を構成する面として含む冷却風導通部を備えることによって、電気光学装置本体の放熱性が高められている。言い換えれば、本発明によれば、電気光学装置本体の一部を構成する部材である防塵用基板そのものを、その張出部を介して冷却することができるので、電気光学装置本体を効率的に冷却することができる。
【００１４】
以上説明したように、本発明の電気光学装置によれば、電気光学装置本体の一部を構成する部材である防塵用基板そのものを、その張出部を介して冷却することができるので、電気光学装置本体を効率的に冷却することができる。よって、動作時における温度上昇を効果的に抑制できるため、長期間に亘って高品位の表示性能を維持できる信頼性に優れた電気光学装置を提供できる。
【００１５】
本発明の電気光学装置の一態様では、前記冷却風導通部は、前記ケースにおける側面のうち前記張出部が張り出す方向に沿う一の側面に形成された第１開口部を前記冷却風の入口として含み、前記ケースにおける側面のうち前記一の側面に対向する他の側面に形成された第２開口部を前記冷却風の出口として含む。
【００１６】
この態様によれば、冷却風導通部（言い換えれば、冷却風の通り路）は、冷却風の入口と出口とを含むことになるので、冷却風の行き交いがより活発に行われ得る。よって、防塵用基板の張出部を、冷却風によって、より効率的に冷却することができる。従って、電気光学装置本体の放熱性をより一層高めることができる。
【００１７】
尚、冷却風導通部における冷却風の行き交いがより活発に行われることによって、ケースが冷却されることを通じて電気光学装置本体が冷却されるという該電気光学装置本体の間接的な冷却もより活発に行われ得る。
【００１８】
上述した冷却風導通部が第１及び第２開口部を含む態様では、前記第１開口部の前記張り出す方向に沿う幅は、前記一対の基板の前記張り出す方向に沿う幅よりも大きくなるように構成してもよい。
【００１９】
この場合には、冷却風導通部内に、冷却風を比較的多く流入させることができ、防塵用基板の張出部を、冷却風によって、より効率的に冷却することができる。
【００２０】
上述した冷却風導通部が第１及び第２開口部を含む態様では、前記冷却風導通部は、前記ケースの内面側に形成され、前記通り路が前記第１開口部側から前記第２開口部側へ向かって徐々に狭くなるように規定する、前記一対の基板の側面に対して斜めに傾いた面を有する第１傾斜部を含むように構成してもよい。
【００２１】
この場合には、冷却風の通り路が入口側から出口側へ向かって徐々に狭くなるので、冷却風が、通り路を通る速度を高めることができる。即ち、冷却風が通り路を流れる流速を上げることができる。よって、防塵用基板の張出部を、冷却風によって、より効率的に冷却することができる。
【００２２】
尚、本発明に係る「通り路が第１開口部側から第２開口部側へ向かって徐々に狭くなるように規定する」とは、通り路の全て（言い換えれば、通り路を構成する第１開口部から第２開口部までの全て）が徐々に狭くなるように規定すること、及び通り路の一部が第１開口部側から第２開口部側へ向かって徐々に狭くなるように規定することのいずれもを含む趣旨である。
【００２３】
上述した冷却風導通部が第１及び第２開口部を含む態様では、前記冷却風導通部は、前記ケースの内面側に形成され、前記通り路が前記第１開口部側から前記第２開口部側へ向かって徐々に狭くなるように規定する、前記防塵用基板の基板面に対して斜めに傾いた面を有する第２傾斜部を含むように構成してもよい。
【００２４】
この場合には、冷却風の通り路が入口側から出口側へ向かって徐々に狭くなるので、冷却風が、通り路を通る速度を高めることができる、言い換えれば、冷却風が通り路を流れる流速を上げることができる。よって、防塵用基板の張出部を、冷却風によって、より効率的に冷却することができる。
【００２５】
上述した冷却風導通部が第１及び第２開口部を含む態様では、前記ケースは、前記電気光学装置本体の一面に対向するように配置されるプレートと、該プレート及び前記電気光学装置本体を覆うように配置されるカバーとを備え、前記第１及び第２開口部は、前記カバーに形成されてもよい。
【００２６】
この場合には、プレートとカバーとからなるケースによって、電気光学装置本体を収容することができると共に、第１及び第２開口部をカバーに容易に配置することができる。
【００２７】
本発明の電子機器は上記課題を解決するために、上述した本発明の電気光学装置（但し、各種態様を含む）を具備してなる。
【００２８】
本発明の電子機器によれば、上述した本発明の電気光学装置を具備してなるので、高品位の表示が可能であり、且つ信頼性に優れた投射型表示装置、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明に係る電子機器として、例えば電子ペーパなどの電気泳動装置等も実現することが可能である。
【００２９】
本発明の作用及び他の利得は次に説明する実施するための最良の形態から明らかにされる。
【発明を実施するための最良の形態】
【００３０】
本発明の実施形態について図を参照して説明する。
＜第１実施形態＞
（電子機器）
先ず、本実施形態に係る電子機器の構成について、図１を参照して説明する。ここでは、本発明に係る電子機器として、投射型の液晶プロジェクタを例にとる。ここに図１は、本実施形態に係る液晶プロジェクタの図式的断面図である。本実施形態に係る液晶プロジェクタは、電気光学装置の一例たる液晶ライトバルブとして３枚用いられてなる複板式カラープロジェクタとして構築されている。
【００３１】
図１において、液晶プロジェクタ１１００は、夫々ＲＧＢ用の液晶ライトバルブ１００Ｒ、１００Ｇ及び１００Ｂの３枚を用いた複板式カラープロジェクタとして構築されている。
【００３２】
液晶プロジェクタ１１００では、メタルハライドランプ等の白色光源のランプユニット１１０２から投射光が発せられると、３枚のミラー１１０６及び２枚のダイクロイックミラー１１０８によって、ＲＧＢの３原色に対応する光成分Ｒ、Ｇ及びＢに分けられ、各色に対応する液晶ライトバルブ１００Ｒ、１００Ｇ及び１００Ｂに夫々導かれる。この際特にＢ光は、長い光路による光損失を防ぐために、入射レンズ１１２２、リレーレンズ１１２３及び出射レンズ１１２４からなるリレーレンズ系１１２１を介して導かれる。そして、液晶ライトバルブ１００Ｒ、１００Ｇ及び１００Ｂにより夫々変調された３原色に対応する光成分は、ダイクロイックプリズム１１１２により合成された後、投射レンズ１１１４を介してスクリーン１１２０にカラー映像として投射される。
【００３３】
液晶ライトバルブ１００Ｒ、１００Ｇ及び１００Ｂは、後述の如きアクティブマトリクス駆動方式の液晶装置が使用される。
【００３４】
液晶プロジェクタ１１００には、液晶ライトバルブ１００Ｒ、１００Ｇ及び１００Ｂに冷却風を送るためのシロッコファン１３００が設けられている。シロッコファン１３００は、その側面に複数のブレード１３０１を備えた略円筒形状の部材を含んでおり、該円筒形状の部材がその軸を中心として回転することでブレード１３０１が風を生じさせるようになっている。尚、このような原理から、シロッコファン１３００で作り出される風は、らせん状に渦巻いたものとなる。このような風は、図１には図示されない風路を通じて各液晶ライトバルブ１００Ｒ、１００Ｇ及び１００Ｂに送給され、各液晶ライトバルブ１００Ｒ、１００Ｇ及び１００Ｂの近傍に設けられた吹き出し口１００ＲＷ、１００ＧＷ及び１００ＢＷから、液晶ライトバルブ１００Ｒ、１００Ｇ及び１００Ｂの各々に対して送り出されるようになっている。
【００３５】
以上説明した構成においては、液晶ライトバルブ１００Ｒ、１００Ｇ及び１００Ｂの各実装ケースは、ダイクロイックプリズム１１１２の３つの側面に夫々付設されている。その各実装ケースからは、内部で液晶装置と接続されたフレキシブル配線基板（以下、適宜「ＦＰＣ」と称す）が引き出されている。引き出されたＦＰＣの各端部は、ダイクロイックプリズム１１１２の上面側或いは下面側に曲げられて、外部コネクタに接続される。
【００３６】
このような液晶プロジェクタ１１００の駆動時には、強力な光源たるランプユニット１１０２からの投射光により、各液晶ライトバルブ１００Ｒ、１００Ｇ及び１００Ｂにおいて温度が上昇する。この際、過度に温度が上昇すると、各液晶ライトバルブ１００Ｒ、１００Ｇ及び１００Ｂ内の液晶が劣化したり、光源光のむらによる部分的な液晶装置の加熱によるホットスポットの出現により透過率にムラが生じたりする。
【００３７】
そこで、本実施形態では特に、液晶ライトバルブ１００（即ち、液晶ライトバルブ１００Ｒ、１００Ｇ及び１００Ｂ）を以下のように構成し、その温度上昇を効率的に抑制する。
【００３８】
（電気光学装置本体の構成）
次に、本実施形態に係る電気光学装置が備える電気光学装置本体の全体構成について、図２から図４を参照して説明する。ここでは、本発明に係る電気光学装置として、駆動回路内蔵型のＴＦＴアクティブマトリクス駆動方式の液晶装置を例にとる。本実施形態に係る液晶装置は、上述した液晶プロジェクタ１１００における液晶ライトバルブ１００Ｒ、１００Ｇ及び１００Ｂとして使用されるものである。本実施形態に係る液晶装置は、本発明に係る「電気光学装置本体」の一例としての液晶パネルが実装ケースに収容されてなる。ここに図２は、ＴＦＴアレイ基板をその上に形成された各構成要素と共に対向基板の側から見た液晶パネルの平面図である。図３は、図２のＡ−Ａ’線断面図である。図４は、図２のＢ−Ｂ’線断面図である。
【００３９】
図２から図４において、液晶パネル５００は、ＴＦＴアレイ基板１０、対向基板２０、シール材５２、液晶層５０並びに防塵用基板４１１及び４１２を備えている。ＴＦＴアレイ基板１０と対向基板２０とは、互いに対向配置されている。ＴＦＴアレイ基板１０と対向基板２０との間に液晶層５０が封入されており、ＴＦＴアレイ基板１０と対向基板２０とは、複数の画素が配置された画像表示領域１０ａの周囲に位置するシール領域に設けられたシール材５２により相互に接着されている。シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。また、シール材５２中には、ＴＦＴアレイ基板１０と対向基板２０との間隔（基板間ギャップ）を所定値とするためのグラスファイバ或いはガラスビーズ等のギャップ材が散布されている。即ち、本実施形態の液晶装置は、プロジェクタのライトバルブ用として小型で拡大表示を行うのに適している。
【００４０】
シール材５２が配置されたシール領域の内側に並行して、複数の画素が配列されてなる画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００４１】
画像表示領域１０ａの周辺に広がる周辺領域のうち、シール材５２が配置されたシール領域の外側に位置する領域には、データ線駆動回路１０１及び外部回路接続端子１０２がＴＦＴアレイ基板１０の一辺に沿って設けられている。この一辺に沿ったシール領域よりも内側に、サンプリング回路７が額縁遮光膜５３に覆われるようにして設けられている。また、走査線駆動回路１０４は、この一辺に隣接する２辺に沿い、且つ、前記額縁遮光膜５３に覆われるようにして設けられている。
【００４２】
ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。
【００４３】
ＴＦＴアレイ基板１０上には、外部回路接続端子１０２と、データ線駆動回路１０１、走査線駆動回路１０４、上下導通端子１０６等とを電気的に接続するための引回配線９０が形成されている。
【００４４】
図３及び図４において、ＴＦＴアレイ基板１０上には、画素スイッチング用のＴＦＴや走査線、データ線等の配線が形成された後の画素電極９ａ上に、図示しない配向膜が形成されている。他方、対向基板２０上には、対向電極２１の他、格子状又はストライプ状の遮光膜２３、更には最上層部分に図示しない配向膜が形成されている。また、液晶層５０は、例えば一種又は数種類のネマティック液晶を混合した液晶からなり、これら一対の配向膜間で、所定の配向状態をとる。
【００４５】
尚、図２から図４に示したＴＦＴアレイ基板１０上には、これらのデータ線駆動回路１０１、走査線駆動回路１０４等に加えて、複数のデータ線に所定電圧レベルのプリチャージ信号を画像信号に先行して各々供給するプリチャージ回路、製造途中や出荷時の当該電気光学装置の品質、欠陥等を検査するための検査回路等を形成してもよい。
【００４６】
図２から図４において、防塵用基板４１１は、例えばガラス基板等の透明な基板からなる。防塵用基板４１１は、ＴＦＴアレイ基板１０の液晶層５０に対向する面とは反対側の面（即ち、図３及び図４中、下側の面）の全面に貼り付けられており、ＴＦＴアレイ基板１０の外部回路接続端子１０２が設けられた一辺に隣接する２辺の各々側に張り出す張出部４１１ａを有している。尚、後に詳細に説明するように、本実施形態では特に、当該液晶装置に対して供給される冷却風を通すことが可能な冷却風導通部７００を備えており、防塵用基板４１１の張出部４１１ａの表面は、冷却風導通部７００の通路７２０を構成する面の一部を構成する。
【００４７】
防塵用基板４１２は、防塵用基板４１１と同様に、例えばガラス基板等の透明な基板からなる。防塵用基板４１２は、対向基板２０の液晶層５０に対向する面とは反対側の面の全面に貼り付けられている。防塵用基板４１２は、平面的に見て、対向基板２０と概ね同じ形状に形成されている。
【００４８】
防塵用基板４１１及び４１２によって、ＴＦＴアレイ基板１０及び対向基板２０上に直接に粉塵が付着するのを防止できると共に、防塵用基板４１１及び４１２上に仮に粉塵が付着したとしても、防塵用基板４１１及び４１２が所定の厚さを有することにより、画像上に粉塵の像が投影されるというような事態を未然に回避することができる。
【００４９】
（電気光学装置の構成）
次に、本実施形態に係る電気光学装置の構成について、図５から図１０を参照して説明する。ここに図５は、液晶パネル及び実装ケースを備える液晶装置の分解斜視図である。図６は、液晶装置の平面図である。
【００５０】
図５及び図６に示すように、液晶装置１は、図２から図４を参照して上述したように構成された液晶パネル５００が、本発明に係る「ケース」の一例としての実装ケース６０１に収容されてなる。液晶装置１は、例えば、図１を参照して上述した液晶プロジェクタ１１００が備えるライトバルブとして用いられる。
【００５１】
図５において、液晶装置１は、液晶パネル５００及び実装ケース６０１を備えている。
【００５２】
液晶パネル５００は、図２から図４を参照して説明した形態を有しており、外部回路接続端子１０２には、ＦＰＣ５０１が接続されている。更に、液晶パネル５００の外表面には、反射防止板等の光学部材が付設されている。但し、偏光板や位相差板等は、液晶パネル５００の外表面に付設されてもよいが、液晶プロジェクタ１１００の光学系が備えていてもよい。
【００５３】
図５に示すように、実装ケース６０１は、液晶パネル５００の一面に対向するように配置されるプレート部６２０と、プレート部６２０及び液晶パネル５００を覆うように配置されるカバー部６１０とからなる。プレート部６２０は、両側縁のフック６２７をカバー部６１０の側面に形成された爪部６１７に引っ掛けることによって、カバー部６１０と組み合せられている。
【００５４】
液晶パネル５００は、カバー部６１０に防塵用基板４１２側（即ち、対向基板２０側）が面する向きに収容され、防塵用基板４１１側（即ち、ＴＦＴアレイ基板１０側）の外表面をプレート部６２０で覆われている。即ち、液晶装置１は、カバー部６１０の側から光が入射し、液晶パネル５００を透過して、プレート部６２０の側から出射するということを前提としている（図１において、ダイクロイックプリズム１１１２には、カバー部６１０ではなくプレート部６２０が対向していることになる）。液晶パネル５００は、その周縁部側からカバー部６１０によって包囲された状態で、該カバー部６１０に接着剤によって接着されることによって固定されて、カバー部６１０内に収容される。尚、このように実装ケース６０１内に収容された状態で、液晶パネル５００における、画像表示領域１０ａの周辺に位置する周辺領域は、カバー部６１０によって覆われている。このため、カバー部６１０は、当該周辺領域における光抜けを防止し、或いは周辺領域から画像表示領域１０ａ内に迷光が進入するのを防止する遮光機能を有している。更に、接着剤としては、空気よりも熱伝導性に優れた接着剤が用いられていてもよい。
【００５５】
プレート部６２０は、開口部として窓部６２５が設けられた額縁状の本体と、本体の両脇に、フック６２７とを備えている。窓部６２５は、液晶パネル５００の画像表示領域１０ａ（図２参照）から射出される光を取り出すために、画像表示領域１０ａと対向するように開口されている。
【００５６】
図５及び図６に示すように、カバー部６１０は、本体部６１３及び爪部６１７から構成されている。
【００５７】
本体部６１３は、液晶パネル５００の形状に合わせ、言わば内側をくり抜かれたように成形された、窓部６１６を備えている。窓部６１６は、収容された液晶パネル５００の画像表示領域１０ａ（図２参照）に光を透過させるために、画像表示領域１０ａと対向するように開口されている。このため、図１に示した液晶プロジェクタ１１００内のランプユニット１１０２から発せられた光は、窓部６１６を通過して液晶パネル５００に入射可能となる。
【００５８】
本体部６１３の四隅には、取り付け穴６１５が設けられている。取り付け穴６１５は、当該実装ケースに収容された液晶パネル５００を、図１に示した如き液晶プロジェクタ１１００内に取り付けする際に利用される。即ち、実装ケースに収容された液晶パネル５００（即ち、液晶装置１）は、取り付け穴６１５を貫通するネジを用いて液晶プロジェクタ１１００にネジ止めすることにより、液晶プロジェクタ１１００内に取り付けられる。
【００５９】
本体部６１３の側面のうちＦＰＣ５０１が取り付けられる側とは反対側の側面６１０ａには、後述する冷却風導通部７００を構成する開口部７１０が形成されている。また、ここでは図示しないが、本体部６１３の側面のうちＦＰＣ５０１が取り付けられる側の（即ち、側面６１０ａに対向する）側面６１０ｂには、後述する冷却風導通部７００を構成する開口部７３０が形成されている。
【００６０】
続いて、本実施形態に係る液晶装置における特徴的な構造である冷却風導通部について、図５及び図６に加えて、図７から図１０を参照して説明する。ここに図７は、図６のＣ−Ｃ’線断面図である。図８は、図６の矢印Ｑ１の方向から見た液晶装置の側面図である。図９は、図６のＤ−Ｄ’線断面図である。図１０は、図６の矢印Ｑ２の方向から見た液晶装置の側面図である。尚、図７から図１０では、図１から図６に示した液晶装置１の詳細な部材は適宜省略し、直接関連のある部材のみを模式的に示している。
【００６１】
図７に示すように、本実施形態では特に、液晶装置１は、冷却風導通部７００を備えており、実装ケース６０１（即ち、カバー部６１０及びプレート部６２０）の内側に冷却風ＷＤを吹き抜かせることが可能となっている。
【００６２】
冷却風導通部７００は、冷却風ＷＤの入口としての開口部７１０と、冷却風ＷＤの通り路としての通路７２０と、冷却風ＷＤの出口としての開口部７３０とを含んで構成されている。
【００６３】
図８に示すように、開口部７１０は、カバー部６１０（より具体的には、その本体部６１３）の側面のうちＦＰＣ５０１（図５及び図６参照）が取り付けられる側とは反対側の側面６１０ａ（図５及び図６も参照）に、防塵用基板４１１の張出部４１１ａに対応して開口されている。即ち、開口部７１０は、図２から図４を参照して上述したＴＦＴアレイ基板１０の両側に張り出した張出部４１１ａに対応して、カバー部６１０の側面６１０ａに２つ形成されている。開口部７１０は、そのＴＦＴアレイ基板１０の基板面に沿う幅Ｗ１が、張出部４１１ａの張り出す長さに概ね等しくなるように形成されている。
【００６４】
図９に示すように、通路７２０は、防塵用基板４１１の張出部４１１ａの表面４１１ｓと、カバー部６１０の内面６１０ｓと、プレート部６２０の内面６２０ｓと、ＴＦＴアレイ基板１０の側面と、対向基板２０の側面と、防塵用基板４１２の側面とによって部分的に規定されている。
【００６５】
図１０に示すように、開口部７２０は、カバー部６１０の側面のうちＦＰＣ５０１（図６参照）が取り付けられる側の側面６１０ｂに、防塵用基板４１１の幅に対応して開口されている。即ち、開口部７２０は、図２から図４を参照して上述したＴＦＴアレイ基板１０の両側に張り出した張出部４１１ａ分だけ、ＴＦＴアレイ基板１０の幅よりも大きな幅を有するように、カバー部６１０の側面６１０ｂに１つ形成されている。開口部７２０は、液晶パネル５００に取り付けられたＦＰＣ５０１を、実装ケース６０１の内部から外部へ引き出すための引出口としても機能する。
【００６６】
図７において、液晶装置１は、以上のように構成された冷却風導通部７００を備えるので、図１に示した如き液晶プロジェクタ１１００において液晶ライトバルブ１００Ｒ、１００Ｇ及び１００Ｂとして用いられる際には、シロッコファン１３００から送られてきた冷却風ＷＤが、実装ケース６０１の外側表面だけでなく、実装ケース６０１の内部（つまり、冷却風導通部７００）を吹き吹けることになる。尚、図１を参照して上述したように、シロッコファン１３００で作り出される冷却風ＷＤは、吹き出し口１００ＲＷ、１００ＧＷ及び１００ＢＷから、液晶ライトバルブ１００Ｒ、１００Ｇ及び１００Ｂのそれぞれに対して送り出されるようになっている。
【００６７】
即ち、図７において、液晶装置１（即ち、液晶ライトバルブ１００Ｒ、１００Ｇ及び１００Ｂ）は、その動作時には、実装ケース６０１の外側表面だけでなく、実装ケース６０１の内部、特に防塵用基板４１１の張出部４１１ａが冷却されることになる。そのため、液晶装置１が備える液晶パネル５００は、効果的に冷却される。より具体的には、張出部４１１ａは、ＴＦＴアレイ基板１０に貼り付けられた防塵用基板４１１が張り出して（言い換えれば、延在して）なるものである。よって、張出部４１１ａを冷却することにより、液晶パネル５００の一部を構成する防塵用基板４０１を直接的に冷却することができる。従って、液晶装置１の動作時に、強力な光源たるランプユニット１１０２からの投射光により、ＴＦＴアレイ基板１０、対向基板２０、防塵用基板４１１及び４１２等の画像表示領域１０ａに発生する熱を、防塵用基板４１１を介して、液晶パネル５００から装置外部に速やかに逃がすことが可能となる。言い換えれば、液晶装置１の外部に設けられたシロッコファン１３００からの冷却風ＷＤによって、液晶パネル５００の一部を構成する防塵用基板４１１を、その張出部４１１ａを介して、直接的に冷却できる。よって、仮に実装ケース６０１を介して液晶パネル５００を間接的にのみ冷却する場合と比較して、液晶パネル５００の温度上昇を効果的に抑制できる。従って、温度上昇に伴って生じる液晶装置１の表示性能の低下を効果的に抑制できる。
【００６８】
更に、図７において、本実施形態では特に、冷却風導通部７００は、カバー部６１０の内面側に形成され、通路７２０が開口部７１０側から開口部７３０側へ向かって狭くなるように規定する、防塵用基板４１１の基板面に対して傾いた面を有する傾斜部７４０を有している。傾斜部７４０は、カバー部６１０の内面と防塵用基板４１１の基板面との間の距離ｄ１が、開口部７１０側から開口部７３０側へ向かって徐々に小さくなるように、テーパ状に形成された部分を有している。よって、冷却風ＷＤの通路７２０が、冷却風ＷＤの入口側から出口側へ向かって徐々に狭くなるので、冷却風ＷＤが通路７２０を流れる流速を上げることができる。従って、防塵用基板４１１の張出部４１１ａを、冷却風ＷＤによって、より効率的に冷却することができる。この結果、液晶パネル５００の温度上昇をより一層効果的に抑制できる。
【００６９】
以上説明したように、本実施形態に係る液晶装置１によれば、液晶パネル５００の一部を構成する部材である防塵用基板４１１そのものを、その張出部４１１ａを介して冷却することができるので、液晶パネル５００を効率的に冷却することができる。よって、動作時における温度上昇を効果的に抑制できるため、長期間に亘って高品位の表示性能を維持できる
尚、本実施形態では、防塵用基板４１１及び４１２のうち防塵用基板４１１のみを張出部４１１ａを有するように構成したが、防塵用基板４１１及び４１２の両方が張出部を有するように構成すると共に、冷却風導通部７００が傾斜部７４０を有さないように構成してもよい。この場合には、冷却風ＷＤによって、防塵用基板４１１及び４１２の両方を、張出部を介して、直接的に冷却できる。
【００７０】
或いは、防塵用基板４１１及び４１２のうち防塵用基板４１２のみを張出部を有するように構成すると共に、傾斜部７４０の如き傾斜部がプレート部６２０の内面側に形成されるように構成してもよい。この場合には、冷却風ＷＤによって、防塵用基板４１２を、張出部を介して、直接的に冷却できる。
＜第２実施形態＞
次に、第２実施形態に係る液晶装置について、図１１を参照して説明する。ここに図１１は、第２実施形態における図８と同趣旨の側面図である。尚、図１１において、図１から図１０に示した第１実施形態に係る構成要素と同様の構成要素に同一の参照符合を付し、それらの説明は適宜省略する。
【００７１】
図１１において、第２実施形態に係る液晶装置は、上述した第１実施形態における冷却風導通部７００が開口部７１０に代えて開口部７１０ｂを含む点で、上述した第１実施形態に係る液晶装置と異なり、その他の点については、上述した第１実施形態に係る液晶装置と概ね同様に構成されている。
【００７２】
図１１に示すように、開口部７１０ｂは、カバー部６１０の側面のうちＦＰＣ５０１（図５及び図６参照）が取り付けられる側とは反対側の側面６１０ａ（図５及び図６も参照）に、防塵用基板４１１に対応して開口されている。開口部７１０ｂは、そのＴＦＴアレイ基板１０の基板面に沿う幅Ｗ２が、防塵用基板４１１の幅（より具体的には、張出部４１１ａが張り出す方向に沿う防塵用基板４１１の幅）に概ね等しくなるように形成されている。言い換えれば、開口部７１０ｂは、第１実施形態における２つの開口部７１０が繋がるように形成された一つの開口部として形成されている。
【００７３】
よって、開口部７１０ｂを介して通路７２０内に、冷却風ＷＤをより多く流入させることができる。従って、防塵用基板４１１の張出部４１１ａを、冷却風ＷＤによって、より効率的に冷却することができる。
＜第３実施形態＞
次に、第３実施形態に係る液晶装置について、図１２及び図１３を参照して説明する。ここに図１２は、第３実施形態における図８と同趣旨の側面図である。図１３は、図１２のＥ−Ｅ’線断面図である。尚、図１２及び図１３において、図１から図１０に示した第１実施形態に係る構成要素と同様の構成要素に同一の参照符合を付し、それらの説明は適宜省略する。
【００７４】
図１２及び図１３において、第３実施形態に係る液晶装置は、上述した第１実施形態における冷却風導通部７００が開口部７１０に代えて開口部７１０ｃを含むと共に、傾斜部７５０を更に含む点で、上述した第１実施形態に係る液晶装置と異なり、その他の点については、上述した第１実施形態に係る液晶装置と概ね同様に構成されている。
【００７５】
図１２に示すように、開口部７１０ｃは、カバー部６１０の側面のうちＦＰＣ５０１（図５及び図６参照）が取り付けられる側とは反対側の側面６１０ａ（図５及び図６も参照）に、防塵用基板４１１の張出部４１１ａに対応して開口されている。即ち、開口部７１０は、図２から図４を参照して上述したＴＦＴアレイ基板１０の両側に張り出した張出部４１１ａに対応して、カバー部６１０の側面６１０ａに２つ形成されている。開口部７１０ｃは、そのＴＦＴアレイ基板１０の基板面に沿う幅Ｗ３が、張出部４１１ａの張り出す長さよりも大きくなるように形成されている。
【００７６】
図１３において、本実施形態では特に、冷却風導通部７００は、カバー部６１０の内面側に形成され、通路７２０が開口部７１０側から開口部７３０側へ向かって狭くなるように規定する、対向基板２０の側面に対して傾いた面を有する傾斜部７５０を有している。傾斜部７５０は、通路７２０の幅ｄ２が、開口部７１０側から開口部７３０側へ向かって徐々に小さくなるように、テーパ状に形成された部分を有している。よって、冷却風ＷＤの通路７２０が、冷却風ＷＤの入口側から出口側へ向かって徐々に狭くなるので、冷却風ＷＤが通路７２０を流れる流速を上げることができる。従って、防塵用基板４１１の張出部４１１ａを、冷却風ＷＤによって、より効率的に冷却することができる。この結果、液晶パネル５００の温度上昇をより一層効果的に抑制できる。
【００７７】
尚、本発明は、上述の実施形態で説明した液晶装置以外にも、シリコン基板上に素子を形成する反射型液晶装置（ＬＣＯＳ）、プラズマディスプレイ（ＰＤＰ）、電界放出型ディスプレイ（ＦＥＤ、ＳＥＤ）、有機ＥＬディスプレイ、デジタルマイクロミラーデバイス（ＤＭＤ）、電気泳動装置等にも適用可能である。
【００７８】
本発明は、上述した実施形態に限られるものではなく、特許請求の範囲及び明細書全体から読み取れる発明の要旨或いは思想に反しない範囲で適宜変更可能であり、そのような変更を伴う電気光学装置、及び該電気光学装置を備えてなる電子機器もまた本発明の技術的範囲に含まれるものである。
【図面の簡単な説明】
【００７９】
【図１】第１実施形態に係る液晶プロジェクタの図式的断面図である。
【図２】第１実施形態に係る液晶パネルの平面図である。
【図３】図２のＡ−Ａ’線断面図である。
【図４】図２のＢ−Ｂ’線断面図である。
【図５】第１実施形態に係る液晶装置の分解斜視図である。
【図６】第１実施形態に係る液晶装置の平面図である。
【図７】図６のＣ−Ｃ’線断面図である。
【図８】図６の矢印Ｑ１の方向から見た液晶装置の側面図である。
【図９】図６のＤ−Ｄ’線断面図である。
【図１０】図６の矢印Ｑ２の方向から見た液晶装置の側面図である。
【図１１】第２実施形態における図８と同趣旨の側面図である。
【図１２】第３実施形態における図８と同趣旨の側面図である。
【図１３】図１２のＥ−Ｅ’線断面図である。
【符号の説明】
【００８０】
６ａ…データ線、９ａ…画素電極、１０…ＴＦＴアレイ基板、１０ａ…画像表示領域、１１ａ…走査線、２０…対向基板、２１…対向電極、５０…液晶層、１０２…外部回路接続端子、４１１、４１２…防塵用基板、４１１ａ…張出部、６０１…実装ケース、６１０…カバー部、６２０…プレート部、７００…冷却風導通部、７１０、７３０…開口部、７２０…通路
【図１】
2009075389.tif 000003
【図２】
2009075389.tif 000004
【図３】
2009075389.tif 000005
【図４】
2009075389.tif 000006
【図５】
2009075389.tif 000007
【図６】
2009075389.tif 000008
【図７】
2009075389.tif 000009
【図８】
2009075389.tif 000010
【図９】
2009075389.tif 000011
【図１０】
2009075389.tif 000012
【図１１】
2009075389.tif 000013
【図１２】
2009075389.tif 000014
【図１３】
2009075389.tif 000015